(57)【要約】【課題】  ペン収納部に対するペンの収納作業が簡単で容易にできるペン収納構造を提供する。【解決手段】  機器ケース１のペン収納部１０にタッチペン５を収納する際に、タッチペン５の外端部５ｂにその外周面から突出して設けられた突起部１３を、ペン収納部１０に設けられた切欠き溝部１２に係合させた状態で、タッチペン５をペン収納部１０に収納するペン収納構造において、タッチペン５をペン収納部１０に挿入する際に、タッチペン５を予め定められた回転位置に回転させる回転位置規制部１７を備えている。従って、タッチペン５をペン収納部１０に挿入すると、回転位置規制部１７によってタッチペン５を予め定められた回転位置に回転移動させることができる。このため、タッチペン５の突起部１３をペン収納部１０の切欠き溝部１２に対応させなくても、タッチペン５を自動的に回転させて、突起部１３を切欠き溝部１２に対応させて係合させることができる。【選択図】        図５
2013077112.tif 000002
【特許請求の範囲】
【請求項１】
機器ケースに設けられたペン収納部にペンを挿脱可能に挿入して収納する際に、前記ペン収納部のペン挿入口側に位置する前記ペンの外端部にその外周面から突出して設けられた突起部を、前記ペン収納部の前記ペン挿入口側に位置する箇所に設けられた突起規制部で規制した状態で、前記ペンを前記ペン収納部に収納するペン収納構造において、
前記ペンを前記ペン収納部に挿入して収納する際に、前記ペンを予め定められた回転位置に回転させるための回転位置規制部を備えていることを特徴とするペン収納構造。
【請求項２】
請求項１に記載のペン収納構造において、前記回転位置規制部は、前記ペン収納部に設けられたガイド規制部と、前記ペンの外周面にその軸方向に沿って傾斜して設けられたガイド傾斜部とを備え、前記ペンを前記ペン収納部に挿入して収納する際に、前記ペンの前記ガイド傾斜部が前記ペン収納部の前記ガイド規制部に沿って前記予め定められた回転位置に回転移動することを特徴とするペン収納構造。
【請求項３】
請求項２に記載のペン収納構造において、前記ペン収納部の前記ガイド規制部は、前記ペン収納部の奥側から前記ペン挿入口側に向けて先細形状に形成され、この先細形状の先端を境にして一方側に位置する第１規制部と他方側に位置する第２規制部とを備えており、
前記ペンの前記ガイド傾斜部は、前記ペンの外周面において、前記ペンの先端部側に向けて凸となる山形部と、この山形部よりも前記ペンの前記外端部側に位置して前記ペンの先端部側に向けて凹となる谷形部とを有し、前記山形部と前記谷形部との各斜面がそれぞれ連続する第１、第２の各傾斜部を備えていることを特徴とするペン収納構造。
【請求項４】
請求項１〜請求項３のいずれかに記載のペン収納構造において、前記ペンを前記ペン収納部に収納した際に、前記ペンを前記ペン収納部内に係脱可能に係止する挿入位置規制部を備えていることを特徴とするペン収納構造。
【発明の詳細な説明】
【技術分野】
【０００１】
この発明は、電子辞書、携帯情報端末機（ＰＤＡ：パーソナル・デジタル・アシスタント）、パーソナルコンピュータなどの電子機器に用いられるペン収納構造に関する。
【背景技術】
【０００２】
例えば、携帯情報端末機においては、特許文献１に記載されているように、機器ケースに設けられたペン収納部にタッチ入力用のタッチペンを挿脱可能に収納するペン収納構造を備えたものが知られている。
【先行技術文献】
【特許文献】
【０００３】
【特許文献１】特開２００６−８５５１５号公報
【０００４】
この種のペン収納構造は、機器ケースに設けられたペン収納部内にタッチペンを挿入して収納する際に、ペン収納部のペン挿入口側に位置するタッチペンの外端部にその外周面から突出して設けられた突起部を、ペン収納部のペン挿入口側に位置する箇所に設けられたスリット溝に係合させた状態で、タッチペンをペン収納部に収納するように構成されている。
【０００５】
このようなペン収納構造では、タッチペンをペン収納部に収納する際に、タッチペンの突起部をペン収納部のスリット溝に挿入させて係合させることにより、タッチペンがペン収納内で勝手に回転しないようになっている。また、このペン収納構造では、タッチペンをペン収納部から取り出す際に、タッチペンの突起部をペン収納部のスリット溝に沿って移動させてスリット溝から離脱させることにより、タッチペンをペン収納部内から取り出させるようになっている。
【発明の概要】
【発明が解決しようとする課題】
【０００６】
しかしながら、このようなペン収納構造では、タッチペンをペン収納部に収納する際に、タッチペンの突起部がペン収納部のスリット溝に対応するようにタッチペンを回転させて位置決めし、この状態でタッチペンをペン収納部に挿入させて突起部をスリット溝に挿入させなければ、タッチペンをペン収納部内に確実に収納することができないため、ペン収納部に対するタッチペンの収納作業が面倒であるという問題がある。
【０００７】
この発明が解決しようとする課題は、ペン収納部に対するペンの収納作業が簡単で容易にできるペン収納構造を提供することである。
【課題を解決するための手段】
【０００８】
この発明は、機器ケースに設けられたペン収納部にペンを挿脱可能に挿入して収納する際に、前記ペン収納部のペン挿入口側に位置する前記ペンの外端部にその外周面から突出して設けられた突起部を、前記ペン収納部の前記ペン挿入口側に位置する箇所に設けられた突起規制部で規制した状態で、前記ペンを前記ペン収納部に収納するペン収納構造において、前記ペンを前記ペン収納部に挿入して収納する際に、前記ペンを予め定められた回転位置に回転させるための回転位置規制部を備えていることを特徴とするペン収納構造である。
【発明の効果】
【０００９】
この発明によれば、ペンをペン収納部に挿入すると、回転位置規制部によってペンを予め定められた回転位置に回転移動させることができる。このため、ペンをペン収納部に収納する際に、ペンの突起部をペン収納部の突起規制部に対応させなくても、ペンを自動的に回転させて、ペンの突起部をペン収納部の突起規制部に対応させて係合させることができる。これにより、ペン収納部に対するペンの収納作業が簡単で容易にでき、使い勝手の良いものを提供することができる。
【図面の簡単な説明】
【００１０】
【図１】この発明を電子辞書に適用した一実施形態を示した斜視図である。
【図２】図１に示された電子辞書を裏面側から見た斜視図である。
【図３】図１に示された電子辞書の下部ケースにおける内部構造を示した拡大斜視図である。
【図４】図３に示された下部ケースのペン収納部における奥側に位置する箇所に設けられた取付部材を上下反転させて示した拡大斜視図である。
【図５】図３に示された下部ケースのペン収納部に収納されるタッチペンを示し、（ａ）はタッチペンのガイド傾斜部における山形部の先端部がペン収納部のガイド規制部の先端部に対応して当接した状態を示した図、（ｂ）はタッチペンのガイド傾斜部における第１傾斜部がペン収納部のガイド規制部の第１規制部に沿って回転移動する状態を示した図、（ｃ）はタッチペンのガイド傾斜部における谷形部がペン収納部のガイド規制部の先端部に移動した状態を示した図である。
【図６】図１に示された電子辞書においてペン収納部にタッチペンを挿入する状態を示した要部の拡大斜視図である。
【発明を実施するための形態】
【００１１】
以下、図１〜図６を参照して、この発明を電子辞書に適用した一実施形態について説明する。
この電子辞書は、図１および図２に示すように、機器ケース１を備えている。この機器ケース１は、上部ケース２と下部ケース３とを一対のヒンジ部４によって開閉可能に連結した構成になっている。
【００１２】
上部ケース２は、図１および図２に示すように、ほぼ平板状に形成されており、下部ケース３も、上部ケース２と同じ大きさの平板状に形成されている。一対のヒンジ部４は、上部ケース２と下部ケース３との一端部（図１では上辺部）における両側部に設けられ、上部ケース２と下部ケース３とを回転可能に連結するように構成されている。
【００１３】
これにより、上部ケース２と下部ケース３とは、一対のヒンジ部４を中心に回転して閉じた際に、互いに重なり合うように構成されている。また、上部ケース２と下部ケース３とは、一対のヒンジ部４を中心に回転して開いた際に、上部ケース３が下部ケース２に対して所定角度、例えば１２０度の角度に開いて展開するように構成されている。
【００１４】
この場合、上部ケース２と下部ケース３とが互いに対向する対向面のうち、上部ケース２の対向面には、電子辞書に係わる情報を表示する表示部（図示せず）が設けられている。この表示部は、表面にタッチ入力パネルを有し、このタッチパネルをタッチペン５でタッチ操作することにより、情報が入力されるように構成されている。また、下部ケース３の対向面には、電子辞書に必要な各種の情報を入力するためのキーボードなどの入力部（図示せず）が設けられている。
【００１５】
また、一対のヒンジ部４の間に位置する下部ケース３には、図２に示すように、電池蓋６が着脱可能に取り付けられている。この電池蓋６は、図２および図３に示すように、一対のヒンジ部４の間に位置する機器ケース１内の箇所に設けられた電池収納部７を開閉可能に塞ぐように構成されている。この電池蓋６の両側部には、図２に示すように、ゴム足８がそれぞれ設けられている。また、この電池蓋６と反対側に位置する下部ケース３の端部における両側部にも、ゴム足８がそれぞれ設けられている。
【００１６】
ところで、機器ケース１には、図１および図２に示すように、タッチペン５を収納するペン収納部１０が設けられている。このペン収納部１０は、図３に示すように、電池収納部７の長手方向に沿う細長い枠状に形成されている。すなわち、このペン収納部１０は、その長手方向の長さがタッチペン５の長さとほぼ同じ長さで、長手方向と直交する幅方向の長さがタッチペン５の直径よりも少し大きい幅で、下部ケース３の内面（図３では上面）に形成されている。
【００１７】
この場合、ペン収納部１０は、図３に示すように、その上部が上部ケース２側（図３では上方）に向けて開放されており、このペン収納部１０における下部ケース３の一側部（図３では右側部）には、ペン挿入口１１が設けられている。このペン挿入口１１における下部ケース３の下面には、図２に示すように、タッチペン５の後述する突起部１３が係脱可能に係合する切欠き溝部１２が設けられている。
【００１８】
一方、タッチペン５は、図５（ａ）〜図５（ｃ）に示すように、全体がほぼ丸棒状に形成され、ペン収納部１０の奥側（図５（ａ）では左側）に位置する先端部５ａが先細形状に形成されている。また、ペン収納部１０のペン挿入口１１側（図５（ａ）では右側）に位置するタッチペンの外端部５ｂには、ペン収納部１０に収納されたタッチペン５を抜き出す際に、指先を引っ掛けるための鍔状の円板部１４がリング状の溝部１５を介して外周に突出して設けられている。
【００１９】
さらに、このタッチペン５の外端部５ｂには、図５（ａ）〜図５（ｃ）に示すように、タッチペン５がペン収納部１０に収納された際に、ペン収納部１０の切欠き溝部１２に係脱可能に係合する突起部１３が外周側に突出して設けられている。この突起部１３は、タッチペン５がペン収納部１０に収納された際に、下部ケース３から下側に露出し、この露出した部分によって鍔状の円板部１４に指先が引っ掛かり易くして、タッチペン５をペン収納部１０から取り出し易くするように構成されている。
【００２０】
また、このタッチペン５をペン収納部１０に収納するためのペン収納構造は、図３〜図５に示すように、ペン収納部１０にタッチペン５が挿入された際に、タッチペン５の挿入位置を規制するための挿入位置規制部１６と、タッチペン５をペン収納部１０に挿入する際に、タッチペン５を予め定められた回転位置に回転させて位置規制するための回転位置規制部１７とを備えている。
【００２１】
挿入位置規制部１６は、タッチペン５の先端部５ａ側における外周面に設けられたリング状の係合溝１８と、この係合溝１６に両側から挿脱可能に係合してタッチペン５を係止する一対の係止部１９とを備えている。この場合、一対の係止部１９は、図４に示すように、ペン収納部１０の奥側に取り付けられる取付部材２０に一体に形成されている。この取付部材２０は、図３に示すように、ペン収納部１０における奥側に位置し、且つペン収納部１０の上部に取り付けられている。
【００２２】
一対の係止部１９は、図４に示すように、それぞれフック形状に垂下（図４では上方に向けて起立）して形成され、ペン収納部１０に収納されるタッチペン５を挟む状態で、取付部材２０の両側に設けられている。すなわち、一対の係止部１９は、その各下部（図４では各上部）に設けられた半円弧状の係止突起部１９ａが互いに対向して形成されている。
【００２３】
これにより、一対の係止部１９は、図３および図４に示すように、タッチペン５がペン収納部１０に挿入されて収納された際に、互いに対向する係止突起部１９ａがタッチペン５に設けられたリング状の係合溝１８にそれぞれ両側から係合することにより、タッチペン５の長手方向における位置を規制するように構成されている。
【００２４】
また、回転位置規制部１７は、図３〜図５に示すように、ペン収納部１０の奥側（図３では左側）に設けられた取付部材２０の下面（図４では上面）に設けられたガイド規制部２１と、ペン収納部１０の奥側に位置するタッチペン５の先端部５ａ側における外周面にその軸方向に沿って傾斜して設けられたガイド傾斜部２２とを備えている。
【００２５】
この回転位置規制部１７のガイド規制部２１は、図４に示すように、ペン収納部１０の奥側からペン挿入口１１側（図４では左側から右側）に向けて先細形状に形成され、この先細形状の先端を境にして一方側（図４では右側）に位置する第１規制部２１ａと他方側（図４では左側）に位置する第２規制部２１ｂとを備えている。すなわち、このガイド規制部２１は、図４に示すように、ペン収納部１０のペン挿入口１１側に向けて先細となる三角形状に形成されている。
【００２６】
また、回転位置規制部１７のガイド傾斜部２２は、図５（ａ）〜図５（ｃ）に示すように、タッチペン５の先端部５ａ（図５（ａ）では左側）側の外周面において、タッチペン５の先端部５ａ側に向けて凸となる山形部２３ａと、この山形部２３ａよりもタッチペン５の外端部５ｂ側（図５（ｃ）では右側）に位置した状態で、タッチペン５の先端部５ａ側に向けて凹となる谷形部２３ｂとを有し、この山形部２３ａと谷形部２３ｂとの各斜面がそれぞれ連続する第１、第２の各傾斜部２２ａ、２２ｂを備えている。
【００２７】
すなわち、ガイド傾斜部２２は、図５（ａ）〜図５（ｃ）に示すように、タッチペン５の先端部５ａ側に向けて凸となる山形部２３ａと、この山形部２３ａよりもタッチペン５の外端部５ｂ側に位置してタッチペン５の先端部５ａ側に向けて凹となる谷形部２３ｂとが、タッチペン５の外周面において、１８０度ずれた位置に設けられている。これにより、第１傾斜部２２ａは、山形部２３ａの片側の斜面と谷形部２３ｂの片側の斜面とが連続する部分であり、第２傾斜部２２ｂは、第１傾斜部２２ａと反対側に位置する山形部２３ａの斜面と谷形部２３ｂの斜面とが連続する部分である。
【００２８】
このため、回転位置規制部１７は、図４および図５に示すように、タッチペン５をペン収納部１０に挿入して収納する際に、タッチペン５のガイド傾斜部２２が、ペン収納部１０のガイド規制部２１に沿って、予め定められた回転位置に回転移動するように構成されている。
【００２９】
すなわち、この回転位置規制部１７は、タッチペン５をペン収納部１０に挿入する際に、タッチペン５の山形部２３ａの先端部がガイド規制部２１の先端部に対応して当接すると、タッチペン５が上下のいずれかの方向に回転して、タッチペン５の山形部２３ａの先端部とガイド規制部２１の先端部とが上下のいずれかの方向にずれるように構成されている。
【００３０】
この場合、回転位置規制部１７は、図５（ａ）においてガイド規制部２１の先端部がガイド傾斜部２２の山形部２３ａの下側に位置する第１傾斜部２２ａにずれると、図５（ｂ）に示すように、第１傾斜部２２ａがガイド規制部２１の第１規制部２１ａに沿って移動することにより、タッチペン５が徐々に一方向（例えば時計回り方向）に回転しながら移動し、図５（ｃ）に示すように、ガイド規制部２１の先端部がガイド傾斜部２２の谷形部２３ｂに移動すると、タッチペン５の回転位置が規制されるように構成されている。
【００３１】
また、回転位置規制部１７は、図５（ａ）においてガイド規制部２１の先端部がガイド傾斜部２２の山形部２３ａの上側に位置する第２傾斜部２２ｂにずれると、第２傾斜部２２ｂがガイド規制部２１の第２規制部２１ｂに沿って移動することにより、タッチペン５が徐々に反対方向（例えば反時計回り方向）に回転しながら移動し、図５（ｃ）に示すように、ガイド規制部２１の先端部がガイド傾斜部２２の谷形部２３ｂに移動すると、タッチペン５の回転位置が規制されるように構成されている。
【００３２】
このように、この回転位置規制部１７は、図４および図５に示すように、タッチペン５の山形部２３ａの先端部がガイド規制部２１の先端部に当接してタッチペン５が上下のいずれかの方向に回転した上、ガイド規制部２１の先端部がガイド傾斜部２２の第１、第２の各傾斜部２２ａ、２２ｂのうち、いずれか一方に沿って移動することにより、タッチペン５がいずれかの方向に回転しながら移動し、ガイド規制部２１の先端部がガイド傾斜部２２の谷形部２３ｂに移動し、タッチペン５を予め定められた回転位置に回転移動させるように構成されている。
【００３３】
これにより、タッチペン５は、ペン収納部１０に挿入されて収納される際に、予め定められた回転位置に回転移動することにより、タッチペン５の外端部５ｂに設けられた突起部１３が、ペン収納部１０のペン挿入口１１に設けられた切欠き溝部１２に挿入して係合し、この状態でペン収納部１０内に収納されるように構成されている。
【００３４】
次に、このペン収納構造の作用について説明する。
タッチペン５をペン収納部１０に収納する場合には、タッチペン５の先端部５ａをペン収納部１０のペン挿入口１１から挿入する。このときには、タッチペン５の外端部５ｂに設けられた突起部１３は、図６に示すように、タッチペン５の回転方向における任意の回転位置で良い。
【００３５】
この状態で、タッチペン５がペン収納部１０内に挿入されて、タッチペン５の先端部５ａがペン収納部１０の奥側部に設けられた取付部材２０に位置し、更にタッチペン５が押し込まれると、図５（ａ）〜図５（ｃ）に示すように、タッチペン５のガイド傾斜部２２がペン収納部１０のガイド規制部２１に当接し、このガイド規制部２１に沿ってガイド傾斜部２２が移動しながら回転し、これによりタッチペン５が予め定められた回転位置に回転する。
【００３６】
例えば、図５（ａ）に示すように、タッチペン５の外端部５ｂに設けられた突起部１３が上側に位置していると、タッチペン５のガイド傾斜部２２における山形部２３ａの先端部がペン収納部１０のガイド規制部２１の先端部に対応して当接する。そして、タッチペン５の山形部２３ａの先端部がガイド規制部２１の先端部から下側にずれると、図５（ｂ）に示すように、ガイド傾斜部２２の山形部２３ａの下側に位置する第１傾斜部２２ａがガイド規制部２１の第１規制部２１ａに沿って移動する。
【００３７】
このときには、タッチペン５が徐々に一方向（例えば時計回り方向）に回転しながら移動し、図５（ｃ）に示すように、ガイド規制部２１の先端部がガイド傾斜部２２の谷形部２３ｂに移動する。すると、タッチペン５が予め定められた回転位置に規制される。これにより、タッチペン５の外端部５ｂに設けられた突起部１３が、ペン収納部１０のペン挿入口１１に設けられた切欠き溝部１２に挿入して係合する。
【００３８】
また、このときには、取付部材２０に設けられた一対の係止部１９の各係止突起部１９ａがタッチペン５の先端部５ａ側に設けられたリング状の係合溝部１８に係合し、タッチペン５の長手方向における位置が規制され、タッチペン５の押し込み動作が停止する。これにより、タッチペン５が予め定められた回転位置に位置した状態で、ペン収納部１０内に収納される。この状態では、一対の係止部１９の各係止突起部１９ａがタッチペン５の係合溝部１８に係合していることにより、タッチペン５がペン収納部１０内から勝手に抜け出すことがない。
【００３９】
また、例えば図５（ａ）に示すように、タッチペン５のガイド傾斜部２２における山形部２３ａの先端部がペン収納部１０のガイド規制部２１の先端部に当接し、この状態でタッチペン５の山形部２３ａの先端部がガイド規制部２１の先端部から上側にずれると、ガイド傾斜部２２の山形部２３ａの上側に位置する第２傾斜部２２ｂがガイド規制部２１の第２規制部２１ｂに沿って移動する。
【００４０】
このときには、タッチペン５が徐々に他方向（例えば反時計回り方向）に回転しながら移動し、図５（ｃ）に示すように、ガイド規制部２１の先端部がガイド傾斜部２２の谷形部２３ｂに移動する。すると、タッチペン５が予め定められた回転位置に規制される。このときにも、タッチペン５の外端部５ｂに設けられた突起部１３が、ペン収納部１０のペン挿入口１１に設けられた切欠き溝部１２に挿入して係合する。
【００４１】
また、タッチペン５をペン収納部１０に挿入する際に、例えば図５（ｂ）に示すように、タッチペン５の外端部５ｂに設けられた突起部１３が側方（図５（ｂ）では下部側）に向いていると、タッチペン５のガイド傾斜部２２における山形部２３ａの先端部がペン収納部１０のガイド規制部２１の先端部に対応して当接することがなく、ガイド傾斜部２２の山形部２３ａの下側に位置する第１傾斜部２２ａが、ガイド規制部２１の第１規制部２１ａに沿って移動する。
【００４２】
このため、このときにも、タッチペン５が徐々に回転しながら移動し、図５（ｃ）に示すように、ガイド規制部２１の先端部がガイド傾斜部２２の谷形部２３ｂに移動する。これにより、タッチペン５が予め定められた回転位置に規制され、タッチペン５の外端部５ｂに設けられた突起部１３が、ペン収納部１０のペン挿入口１１に設けられた切欠き溝部１２に挿入して係合する。
【００４３】
また、例えばタッチペン５の外端部５ｂに設けられた突起部１３が上述した場合と反対に位置する側方（図５（ｂ）では上部側）に向いていると、タッチペン５のガイド傾斜部２２における山形部２３ａの先端部がペン収納部１０のガイド規制部２１の先端部に対応して当接することがなく、ガイド傾斜部２２の山形部２３ａの上側に位置する第２傾斜部２２ｂが、ガイド規制部２１の第２規制部２１ｂに沿って移動する。
【００４４】
このため、このときにも、タッチペン５が徐々に回転しながら移動し、図５（ｃ）に示すように、ガイド規制部２１の先端部がガイド傾斜部２２の谷形部２３ｂに移動する。これにより、タッチペン５が予め定められた回転位置に規制され、タッチペン５の外端部５ｂに設けられた突起部１３が、ペン収納部１０のペン挿入口１１に設けられた切欠き溝部１２に挿入して係合する。
【００４５】
さらに、タッチペン５をペン収納部１０に挿入する際に、例えば図５（ｃ）に示すように、タッチペン５の外端部５ｂに設けられた突起部１３が下側に位置していると、タッチペン５のガイド傾斜部２２における山形部２３ａの先端部がペン収納部１０のガイド規制部２１の先端部に当接することがなく、ガイド規制部２１の先端部がガイド傾斜部２２の谷形部２３ｂに移動する。
【００４６】
このため、タッチペン５はほとんど回転することがなく、ガイド規制部２１の先端部がガイド傾斜部２２の谷形部２３ｂに移動し、これによりタッチペン５が予め定められた回転位置に規制されて、タッチペン５の外端部５ｂに設けられた突起部１３が、ペン収納部１０のペン挿入口１１に設けられた切欠き溝部１２に挿入して係合する。
【００４７】
ところで、ペン収納部１０内に収納されているタッチペン５を取り出す場合には、ペン収納部１０のペン挿入口１１に設けられた切欠き溝部１２に係合しているタッチペン５の突起部１３に指先を当て、この指先をタッチペン５の突起部１３と鍔状の円板部１４との間に位置するリング状の溝部１５に挿入させて円板部１４に引っ掛ける。この状態で、タッチペン５の係合溝部１８に対する一対の係止部１９の各係止突起部１９ａによる係合力に抗して、円板部１４を引き出せば良い。
【００４８】
このように、このペン収納構造によれば、機器ケース１に設けられたペン収納部１０にタッチペン５を収納する際に、ペン収納部１０のペン挿入口１１側に位置するタッチペン５の外端部５ｂにその外周面から突出して設けられた突起部１３を、ペン収納部１０のペン挿入口１１側に位置する箇所に設けられた切欠き溝部１２に係合させた状態で、タッチペン５をペン収納部１０に収納するペン収納構造において、タッチペン５をペン収納部１０に挿入して収納する際に、タッチペン５を予め定められた回転位置に回転させるための回転位置規制部１７を備えていることにより、ペン収納部１０に対するタッチペン５の収納作業が簡単で容易にでき、使い勝手を向上させることができる。
【００４９】
すなわち、このペン収納構造では、タッチペン５をペン収納部１０に挿入すると、回転位置規制部１７によってタッチペン５を予め定められた回転位置に回転移動させることができる。このため、タッチペン５をペン収納部１０に収納する際に、タッチペン５の突起部１３をペン収納部１０の切欠き溝部１２に対応させなくても、タッチペン５を自動的に回転させて、タッチペン５の突起部１３をペン収納部１０の切欠き溝部１２に対応させて係合させることができるので、ペン収納部１０に対するタッチペン５の収納作業が簡単で容易にでき、これにより使い勝手の向上を図ることができる。
【００５０】
この場合、回転位置規制部１７は、ペン収納部１０の奥側に位置する箇所に設けられたガイド規制部２１と、ペン収納部１０の奥側に位置するタッチペン５の先端部５ａ側における外周面にその軸方向に沿って傾斜して設けられたガイド傾斜部２２とを備え、タッチペン５をペン収納部１０に挿入して収納する際に、タッチペン５のガイド傾斜部２２がペン収納部１０のガイド規制部２１に沿って予め定められた回転位置に回転移動するので、タッチペン５をペン収納部１０に挿入させるだけで、タッチペン５を円滑に且つ確実に回転させて、予め定められた回転位置に自動的に回転移動させることができる。
【００５１】
すなわち、この回転位置規制部１７は、タッチペン５をペン収納部１０に挿入すると、タッチペン５のガイド傾斜部２２がペン収納部１０のガイド規制部２１に沿って移動し、この移動に伴ってタッチペン５のガイド傾斜部２２が回転移動することにより、タッチペン５をペン収納部１０に挿入させるだけで、タッチペン５を円滑に且つ確実に回転させることができると共に、ペン収納部１０のガイド規制部２１に対するタッチペン５のガイド傾斜部２２の移動に応じてタッチペン５を予め定められた回転位置に自動的に回転移動させることができる。
【００５２】
この場合、ペン収納部１０のガイド規制部２１は、ペン収納部１０の奥側からペン挿入口１１側に向けて先細形状に形成され、この先細形状の先端を境にして一方側に位置する第１規制部２１ａと他方側に位置する第２規制部２１ｂとを備えており、タッチペン５のガイド傾斜部２２は、タッチペン５の先端部５ａ側の外周面において、タッチペン５の先端部５ａ側に向けて凸となる山形部２３ａと、この山形部２３ａよりもタッチペン５の外端部５ｂ側に位置してタッチペン５の先端部５ａ側に向けて凹となる谷形部２３ｂとを有し、山形部２３ａと谷形部２３ｂとの各斜面がそれぞれ連続する第１、第２の各傾斜部２２ａ、２２ｂを備えているので、タッチペン５を円滑に且つ確実に回転させて、予め定められた回転位置に正確に回転移動させることができる。
【００５３】
すなわち、このペン収納構造では、タッチペン５をペン収納部１０に挿入させて、タッチペン５のガイド傾斜部２２における山形部２３ａの先端部がペン収納部１０のガイド規制部２１の先端部に対応して当接すると、タッチペン５の山形部２３ａの先端部がガイド規制部２１の先端部から上下のいずれかの方向にずれることにより、ガイド傾斜部２２の山形部２３ａの上下に位置する第１、第２の傾斜部２２ａ、２２ｂのいずれか一方を、ガイド規制部２１の第１、第２の規制部２１ａ、２１ｂのいずれか一方に沿って移動させることができる。
【００５４】
これにより、タッチペン５を時計回り方向と反時計回り方向のいずれかの方向に回転させることができると共に、ガイド規制部２１の先端部をガイド傾斜部２２の谷形部２３ｂに移動させることができ、これによりタッチペン５を予め定められた回転位置に規制することができるので、タッチペン５の外端部５ｂに設けられた突起部１３を、ペン収納部１０のペン挿入口１１に設けられた切欠き溝部１２に確実に且つ良好に対応させて係合させることができる。
【００５５】
また、このペン収納構造では、タッチペン５をペン収納部１０に挿入した際に、例えばタッチペン５のガイド傾斜部２２における山形部２３ａの先端部がペン収納部１０のガイド規制部２１の先端部に当接しない場合、ガイド傾斜部２２の山形部２３ａの上下に位置する第１、第２の傾斜部２２ａ、２２ｂのいずれか一方を、ガイド規制部２１の第１、第２の規制部２１ａ、２１ｂのいずれか一方に沿って移動させることができる。
【００５６】
このため、タッチペン５を回転させながら移動させて、ガイド規制部２１の先端部をガイド傾斜部２２の谷形部２３ｂに向けて相対的に移動させることができ、これによりタッチペン５を予め定められた回転位置に規制することができ、タッチペン５の外端部５ｂに設けられた突起部１３を、ペン収納部１０のペン挿入口１１に設けられた切欠き溝部１２に確実に且つ良好に挿入させて係合させることができる。
【００５７】
さらに、このペン収納構造では、タッチペン５をペン収納部１０に挿入した際に、例えばタッチペン５のガイド傾斜部２２における山形部２３ａの先端部がペン収納部１０のガイド規制部２１の先端部に当接せずに、ガイド規制部２１の先端部がガイド傾斜部２２の谷形部２３ｂに挿入すると、タッチペン５がほとんど回転せずに、タッチペン５を予め定められた回転位置に規制することができ、これによりタッチペン５の外端部５ｂに設けられた突起部１３を、ペン収納部１０のペン挿入口１１に設けられた切欠き溝部１２に確実に且つ良好に挿入させて係合させることができる。
【００５８】
このように、このペン収納構造では、タッチペン５をペン収納部１０に収納する際に、タッチペン５の回転位置を気にせずに、タッチペン５をペン収納部１０内に挿入するだけで、タッチペン５を円滑に且つ良好に回転させて、予め定められた回転位置に自動的に回転移動させることができ、これによりタッチペン５の外端部５ｂに設けられた突起部１３を、ペン収納部１０のペン挿入口１１に設けられた切欠き溝部１２に確実に且つ良好に挿入させて係合させることができる。
【００５９】
また、このペン収納構造によれば、ペン収納部１０にタッチペン５が挿入された際に、タッチペン５の挿入位置を規制するための挿入位置規制部１６を備えているので、この挿入位置規制部１６によってペン収納部１０に収納されたタッチペン５が、ペン収納部１０内から勝手に抜け出さないように係止することができる。
【００６０】
この場合、挿入位置規制部１６は、タッチペン５の先端部５ａ側における外周面に設けられたリング状の係合溝１８と、この係合溝１６に両側から挿脱可能に挿入してタッチペン５を係止する一対の係止部１９とを備えており、この一対の係止部１９は、タッチペン５がペン収納部１０に挿入されて収納された際に、互いに対向する係止突起部１９ａがタッチペン５に設けられたリング状の係合溝１８に係合する構成であることにより、タッチペン５の長手方向における位置を規制することができ、これによりタッチペン５がペン収納部１０内から勝手に抜け出さないように係止することができる。
【００６１】
すなわち、この挿入位置規制部１６は、一対の係止部１９の各係止突起部１９ａがタッチペン５の先端部５ａ側に設けられたリング状の係合溝部１８に係合することにより、タッチペン５の長手方向における位置を規制することができ、これによりタッチペン５がペン収納部１０内から勝手に抜け出さないように、確実に且つ良好にタッチペン５をペン収納部１０内に収納することができる。
【００６２】
この場合、挿入位置規制部１６の一対の係止部１９と回転位置規制部１７のガイド規制部２１とは、取付部材２０に一体に形成されていることにより、挿入位置規制部１６の一対の係止部１９と回転位置規制部１７のガイド規制部２１とをペン収納部１０に対して取り付ける際に、個別に取り付ける必要がなく、取付部材２０をペン収納部１０の所定位置に取り付けるだけで、挿入位置規制部１６の一対の係止部１９と回転位置規制部１７のガイド規制部２１とを簡単に且つ正確に取り付けることができ、これにより組立作業性の向上をも図ることができる。
【００６３】
なお、上述した実施形態では、回転位置規制部１７のガイド規制部２１がペン収納部１０の外部側に向けて先細となる三角形状に形成されている場合について述べたが、必ずしもペン収納部１０の外部側に向けて先細となる三角形状に形成されている必要はなく、例えば円形または楕円形などの凸形状に形成しても良い。
【００６４】
また、上述した実施形態では、回転位置規制部１７と挿入位置規制部１６とをペン収納部１０の奥側およびタッチペン５の先端部５ａ側に設けた場合について述べたが、必ずしもペン収納部１０の奥側およびタッチペン５の先端部５ａ側に設ける必要はなく、タッチペン５をペン収納部１０に挿入して収納する際に、タッチペン５を予め定められた回転位置に回転させることができれば、どの位置に設けても良い。
【００６５】
さらに、上述した実施形態では、電子辞書に適用した場合について述べたが、必ずしも電子辞書に適用する必要はなく、例えば電子辞書、携帯情報端末機（ＰＤＡ：パーソナル・デジタル・アシスタント）などの携帯型の電子機器に適用することができるほか、このような携帯型の電子機器に限らず、パーソナルコンピュータなどの各種の電子機器に広く適用することができる。
【００６６】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００６７】
（付記）
請求項１に記載の発明は、機器ケースに設けられたペン収納部にペンを挿脱可能に挿入して収納する際に、前記ペン収納部のペン挿入口側に位置する前記ペンの外端部にその外周面から突出して設けられた突起部を、前記ペン収納部の前記ペン挿入口側に位置する箇所に設けられた突起規制部で規制した状態で、前記ペンを前記ペン収納部に収納するペン収納構造において、前記ペンを前記ペン収納部に挿入して収納する際に、前記ペンを予め定められた回転位置に回転させるための回転位置規制部を備えていることを特徴とするペン収納構造である。
【００６８】
請求項２に記載の発明は、請求項１に記載のペン収納構造において、前記回転位置規制部は、前記ペン収納部に設けられたガイド規制部と、前記ペンの外周面にその軸方向に沿って傾斜して設けられたガイド傾斜部とを備え、前記ペンを前記ペン収納部に挿入して収納する際に、前記ペンの前記ガイド傾斜部が前記ペン収納部の前記ガイド規制部に沿って前記予め定められた回転位置に回転移動することを特徴とするペン収納構造である。
【００６９】
請求項３に記載の発明は、請求項２に記載のペン収納構造において、前記ペン収納部の前記ガイド規制部は、前記ペン収納部の奥側から前記ペン挿入口側に向けて先細形状に形成され、この先細形状の先端を境にして一方側に位置する第１規制部と他方側に位置する第２規制部とを備えており、前記ペンの前記ガイド傾斜部は、前記ペンの外周面において、前記ペンの先端部側に向けて凸となる山形部と、この山形部よりも前記ペンの前記外端部側に位置して前記ペンの先端部側に向けて凹となる谷形部とを有し、前記山形部と前記谷形部との各斜面がそれぞれ連続する第１、第２の各傾斜部を備えていることを特徴とするペン収納構造である。
【００７０】
請求項４に記載の発明は、請求項１〜請求項３のいずれかに記載のペン収納構造において、前記ペンを前記ペン収納部に収納した際に、前記ペンを前記ペン収納部内に係脱可能に係止する挿入位置規制部を備えていることを特徴とするペン収納構造である。
【符号の説明】
【００７１】
１  機器ケース
２  上部ケース
３  下部ケース
４  ヒンジ部
５  タッチペン
５ａ  先端部
５ｂ  外端部
１０  ペン収納部
１１  ペン挿入口
１２  切欠き溝部
１３  突起部
１６  挿入位置規制部
１７  回転位置規制部
１８  係合溝
１９  一対の係止部
２０  取付部材
２１  ガイド規制部
２１ａ  第１規制部
２１ｂ  第２規制部
２２  ガイド傾斜部
２２ａ  第１傾斜部
２２ｂ  第２傾斜部
２３ａ  山形部
２３ｂ  谷形部
【図１】
2013077112.tif 000003
【図２】
2013077112.tif 000004
【図３】
2013077112.tif 000005
【図４】
2013077112.tif 000006
【図５】
2013077112.tif 000007
【図６】
2013077112.tif 000008